(57)【要約】【課題】光学式マウスにおいて、周囲光に対応して発光部の明るさを制御し、該制御した明るさで指示マークを表示可能な技術の提供。【解決手段】指等の操作体からの反射光と周囲光の明るさ情報を検出し、該検出結果に基づき、発光部を制御して発光の明るさを制御するとともに、上記操作体の移動に対応する変位データを、該制御した明るさで形成して装置の表示部側に出力する。【選択図】  図１
2004302533.tif 000002
【特許請求の範囲】
【請求項１】
操作体からの反射光に基づき該操作体の移動に対応する変位データを形成し装置の表示部側に出力して該移動に対応した指示マークを表示させる光学式マウスであって、
上記操作体側に光を出射する発光部と、
上記反射光及び上記周囲光を受光しそれぞれを対応する電気信号に変換する受光部と、
上記電気信号に基づき、上記反射光及び上記周囲光の明るさ情報を検出し該検出した明るさ情報に基づき、上記発光部を制御するための制御信号を形成するとともに、上記操作体の移動に対応する変位データを形成する信号処理部と、
を備え、上記発光部を上記周囲光の明るさに対応し制御することで、上記反射光の明るさを制御し、該制御した反射光に基づき上記変位データを形成して上記表示部側に出力する構成としたことを特徴とする光学式マウス。
【請求項２】
操作体からの反射光に基づき該操作体の移動に対応する変位データを形成し装置の表示部側に出力して該移動に対応した指示マークを表示させる光学式マウスであって、
上記操作体側に光を出射する発光部と、
上記操作体からの反射光と外部からの周囲光を光学式マウス内に取込むレンズと、
上記反射光及び上記周囲光を受光しそれぞれを対応する電気信号に変換する受光部と、
上記受光部からの出力に基づき、上記反射光及び上記周囲光の明るさ情報を検出するとともに、上記操作体の移動に対応する変位データを形成する第１の信号処理部と、
上記検出した反射光及び周囲光の明るさ情報により、上記発光部を制御するための制御信号を形成する第２の信号処理部と、
上記制御信号に基づき上記発光部を駆動する発光駆動部と、
上記形成した変位データを出力するインターフェース部と、
を備え、装置の表示部に接続された状態で、上記発光部から出射される光の輝度を上記周囲光の明るさに対応して制御し、該制御した光に基づき上記変位データを形成して該表示部側に出力する構成としたことを特徴とする光学式マウス。
【請求項３】
上記第２の信号処理部は、上記発光部を制御する制御信号として、上記反射光による電圧レベルと上記周囲光による電圧レベルとの差を所定値または所定範囲とするものを形成する請求項１に記載の光学式マウス。
【請求項４】
操作体からの反射光に基づき該操作体の移動に対応する変位データを形成し装置の表示部側に出力して該移動に対応した指示マークを表示させる光学式マウスを備えた端末装置であって、
上記操作体側に光を出射する発光部と、上記反射光及び上記周囲光を受光しそれぞれを対応する電気信号に変換する受光部と、該電気信号に基づき、上記反射光及び上記周囲光の明るさ情報を検出し該検出した明るさ情報に基づき上記発光部を制御するための制御信号を形成するとともに、上記操作体の移動に対応する変位データを形成する信号処理部とを備えた光学式マウスと、
上記光学式マウスから出力される上記変位データに基づき指示マークを表示する表示部と、
を備え、上記光学式マウス内において、上記周囲光の明るさに対応して上記反射光の明るさを制御し、該制御した反射光に基づき上記変位データを形成し、上記表示部において該変位データに基づく指示マークを表示する構成としたことを特徴とする端末装置。
【発明の詳細な説明】
【０００１】
【発明の属する技術分野】
本発明は、操作者の指等の操作体で反射される光に基づき、該操作体の移動に対応する変位データを形成して出力し、装置の表示部に指示マークを表示させる光学式マウスに関する。
【０００２】
【従来の技術】
従来の光学式マウスとしては、光学式マウス内の光源から出射した光をマウスパッドや机上面などの平面で反射させ、該反射光の濃淡を該マウスの移動情報として光学センサにより読取る方式のものや、携帯パーソナルコンピュータやＰＤＡ（Ｐｅｒｓｏｎａｌ  Ｄｅｇｉｔａｌ  Ａｓｓｉｓｔａｎｔ）のように、操作体としての操作者の指等からの反射光により、指紋など接触面の模様を光学センサで読取る方式のものがある。特に、指等の反射光を利用する後者の方式の場合、光学式マウスの操作時にはＬＥＤなどの光源を高輝度で発光させ、指等からの反射光と周囲光との明るさの差を大きくするようにしている。
【０００３】
また、本発明に関連する従来技術であって特許文献に記載されたものとしては、特開２００１−６７１８０号公報（特許文献１）や特開平８−１８５４６７号公報（特許文献２）に記載されたものがある。特開２００１−６７１８０号公報には、指の反射光を利用する方式において、省スペース化、メンテナンスフリー及びセキュリティ確保のために、接写面照明用の可変光源と可変速電子シャッターなどを備え、可変光源の制御や可変速電子シャッターの開いている期間の制御を行い、指先等の接触面の模様を精度良く読取れるようにするとともに、該読取り期間のみ光源を点灯させるなど明るさが最適になるようにする技術が記載されている。特開平８−１８５４６７号公報には、周囲光を検出し、該検出結果に基づき光源の点灯を制御するバーコードリーダ等の読取り装置用の技術として、周囲光検出手段の出力を増幅し、該増幅信号からスライスレベル信号を生成し、該増幅信号と該スライスレベル信号とを比較することで周囲光変化を検出し、該検出結果に基づき、半導体レーザー等光源の点灯を制御するとともに、上記増幅信号のレベル判定を行い、該判定結果に基づき、該増幅信号形成時の増幅率を制御する技術が記載されている。
【０００４】
【特許文献１】
特開２００１−６７１８０号公報
【特許文献２】
特開平８−１８５４６７号公報
【０００５】
【発明が解決しようとする課題】
上記従来技術のうち、マウスパッドや机上面の反射光を用いる方式では、マウス操作のためにマウスパッドや机上などの平面部分が必要となる。指等からの反射光を利用する方式のうち、光源を固定的に高輝度で発光させるものでは消費電力が増大する。また、特開２００１−６７１８０号公報記載の技術は、映像入力部の可変速電子シャッターが開いている期間と閉じている期間との間で光源の明るさを変えるもので、周囲光に対応した光源の制御を行うものではない。特開平８−１８５４６７号公報記載の技術は、単に、バーコードリーダ等の読取り装置において安定して周囲光検出ができるようにするものであり、光学式マウスにおける指等の移動体の変位データを形成する技術の記載はない。
本発明の課題点は、上記従来技術の状況に鑑み、光学式マウスにおいて、周囲光に対応して光源（発光部）の発光輝度を制御し、該制御した輝度により指示マークを装置の表示部に表示できるようにすることである。
本発明の目的は、かかる課題点を解決できる技術の提供にある。
【０００６】
【課題を解決するための手段】
上記課題点を解決するために、本発明では、基本的に、光学式マウス技術として、指等の操作体からの反射光及び周囲光の明るさ情報を検出し、該検出結果に基づき、発光部を制御し発光の明るさを制御するとともに、上記操作体の移動に対応する変位データを、該制御した明るさで形成して装置の表示部側に出力する。
具体的には、
（１）光学式マウスとして、操作体側に光を出射する発光部（該当実施例：符号１４）と、操作体からの反射光と周囲光を受光しそれぞれを対応する電気信号に変換する受光部（該当実施例：符号１７）と、上記電気信号に基づき、上記反射光及び上記周囲光の明るさ情報を検出し該検出した明るさ情報に基づき、上記発光部を制御するための制御信号を形成するとともに、上記操作体の移動に対応する変位データを形成する信号処理部（該当実施例：符号１８）とを備え、上記発光部を上記周囲光の明るさに対応し制御することで、上記反射光の明るさを制御し、該制御した反射光に基づき上記変位データを形成して装置の表示部側に出力する構成とする。
（２）光学式マウスとして、操作体側に光を出射する発光部（該当実施例：符号１４）と、上記操作体からの反射光と外部からの周囲光を光学式マウス内に取込むレンズ（該当実施例：符号１３）と、上記反射光及び上記周囲光を受光しそれぞれを対応する電気信号に変換する受光部（該当実施例：符号１７）と、上記受光部からの出力に基づき、上記反射光及び上記周囲光の明るさ情報を検出するとともに、上記操作体の移動に対応する変位データを形成する第１の信号処理部（該当実施例：符号１８）と、上記検出した反射光及び周囲光の明るさ情報により、上記発光部を制御するための制御信号を形成する第２の信号処理部（該当実施例：符号１８）と、上記制御信号に基づき上記発光部を駆動する発光駆動部（該当実施例：符号１９）と、上記形成した変位データを出力するインターフェース部（該当実施例：符号１１）とを備え、装置の表示部に接続された状態で、上記発光部から出射される光の輝度を上記周囲光の明るさに対応して制御し、該制御した光に基づき上記変位データを形成して該表示部側に出力する構成とする。
（３）端末装置として、操作体側に光を出射する発光部（該当実施例：符号１４）と、反射光及び上記周囲光を受光しそれぞれを対応する電気信号に変換する受光部（該当実施例：符号１７）と、該電気信号に基づき、上記反射光及び上記周囲光の明るさ情報を検出し該検出した明るさ情報に基づき上記発光部を制御するための制御信号を形成するとともに、上記操作体の移動に対応する変位データを形成する信号処理部（該当実施例：符号１８）とを備えて成る光学式マウスと、該光学式マウスから出力される上記変位データに基づき指示マークを表示する表示部（該当実施例：符号８０３）とを備え、上記光学式マウス内において、上記周囲光の明るさに対応して上記反射光の明るさを制御し、該制御した反射光に基づき上記変位データを形成し、上記表示部において該変位データに基づく指示マークを表示する構成とする。
【０００７】
【発明の実施の形態】
以下、本発明の実施例につき、図面を用いて説明する。
図１〜図５は、本発明の光学式マウスの第１の実施例の説明図である。図１は、本発明の第１の実施例としての光学式マウスの構成例図、図２は、図１の光学式マウスの動作手順を示す図、図３は、図１の受光検知部における電圧信号波形の説明図、図４は、図１の光学式マウスにおける周囲光の明るさと発光部で発生する光の必要な明るさ（輝度）との関係を示す図、図５は、図１の受光検知部における電圧信号波形の説明図であって、周囲光の明るさレベルに対応して制御される電圧信号波形を示す図である。
【０００８】
図１において、１０は光学式マウス、１５は操作体としての操作者の指、１４はＬＥＤ等から成る発光部、１６は周囲光、１３は、指１５からの反射光と周囲光１６を光学式マウス内に取込む受光レンズ、１７は、上記指１５からの反射光及び周囲光１６を受光しそれぞれを対応する電気信号に変換する受光部としての受光検知部、１８は、上記電気信号に基づき、上記反射光及び上記周囲光１６の明るさ情報を検出し該検出した明るさ情報に基づき、上記発光部１４を制御するための制御信号を形成するとともに、上記操作体の移動に対応する変位データを形成する信号処理部としての受光データ処理部、１９は、上記受光データ処理部１８で形成した制御信号に基づき、上記発光部１４を制御して駆動する発光駆動部、１１は、装置の表示部等との間のインターフェースを構成し、上記受光データ処理部１８で形成した変位データを表示部側等に出力するインターフェース部としてのＣＰＵ、１２は、上記受光検知部１７、上記受光データ処理部１８及び上記発光駆動部１９で構成される光学センサである。上記受光データ処理部１８は、受光検知部１７からの出力に基づき、上記反射光及び上記周囲光の明るさ情報を検出するとともに、操作体としての上記指１５の移動に対応した変位データを形成する第１の信号処理部（図示なし）と、上記検出した明るさ情報に基づき、上記発光部１４を制御するための制御信号を形成する第２の信号処理部（図示なし）とを備える。上記受光検知部１７としては、指１５からの反射光を受光して検知するものと、周囲光１６を受光して検知するものとを別個に設けてもよい。インターフェース部としての上記ＣＰＵ１１は、ＲＯＭやＲＡＭの記憶手段を備えるとともに、上記光学センサ１２の駆動を制御する信号を形成する。電源は、光学式マウス１０の内部または外部のいずれか一方または両方に分けて備えるようにしてもよい。
【０００９】
かかる構成において、発光部１４から出射され指１５で反射された反射光と、マウス外部の周囲光１６とは、受光レンズ１３から光学式マウス１０内に取込まれ、受光検知部１７に照射される。受光検知部１７では、該照射された上記反射光及び周囲光１６それぞれを対応する電圧信号（電気信号）に変換し出力する。該受光検知部１７は、複数の受光素子で構成され、各受光素子で発生した上記電圧信号が、シリアルまたはパラレルの状態で出力され、次段の受光データ処理部１８に入力される。受光検知部１７の該受光素子では、指１５の反射光からは光の濃淡を検知してこれに対応した電圧信号を形成し、受光レンズ面に当てられた指１５が移動するとき、該電圧信号が変化する。受光データ処理部１８では、入力された電圧信号により、上記反射光のある場合とない場合の該発生電圧の変化量を基準値と比較し、変化量が該基準値以上であれば、指１５が移動した判断する。通常、反射光による電圧信号はＨｉｇｈレベルであり、該受光データ処理部１８では、該Ｈｉｇｈレベルの電圧信号により指１５の移動方向と移動変位とを検出し、変位データとして形成する。該形成された変位データは、ＣＰＵ１１を介して装置の表部側に送信され、上記指１５の移動に対応して移動する指示マーク（ポインタ）を該表示部に表示させる。
【００１０】
また、周囲光１６は、上記受光検知部１７において上記指１５からの反射光よりも低いレベルの電圧信号を発生させる。従って、上記指１５からの反射光をともに受光している場合、該受光検知部１７で発生する電圧信号は、反射光に対応した部分ではＨｉｇｈレベルとなり、周囲光１６に対応した部分では、該周囲光１６の明るさに対応し比較的Ｌｏｗレベルとなる。反射光による電圧信号のレベルと、周囲光による電圧信号のレベルとの差が所定値以上あれば、受光データ処理部１８において変位データの形成が可能である。周囲光１６が暗い場合は、反射光の明るさを低減しても上記電圧信号のレベル差が確保され、一方、周囲光１６が明るい場合は、反射光の明るさを増大させないと上記電圧信号のレベル差が確保されない。
【００１１】
受光データ処理部１８では、上記電圧信号のレベル差を確保して上記変位データを形成可能な範囲で、上記反射光の明るさを上記周囲光１６の明るさに対応して制御するための制御信号を形成する。すなわち、周囲光１６が暗い場合は、発光部１４で発生される光の輝度を下げて、指１５の反射光の明るさを低減させ、周囲光１６が明るい場合は、発光部１４で発生される光の輝度を上げて、該反射光の明るさを増大させる。発光部１４で発生される光の輝度を下げることは、光学式マウスの消費電力を低減させる。上記制御信号としては、上記反射光による電圧レベルと上記周囲光による電圧レベルとの差が所定値を超えるように上記発光部１４を制御かのうなものが形成される。該形成された制御信号は、次段の発光駆動部１９に入力され、該制御信号に対応した駆動信号を形成する。該駆動信号により発光部１４が駆動され、所定の輝度の光を発生して出射する。
【００１２】
図２は、図１の光学式マウスの動作手順を示す図である。
図２において、
（１）光学式マウス１０に電源供給されると（ステップＳ１０１）、ＣＰＵ１１が光学センサ１２をオン状態にする（ステップＳ１０２）。
（２）次に、所定時間ｘだけ待機する（ステップＳ１０３）。
（３）受光検知部１７から出力される周囲光１６の電圧信号のレベルを検知する（ステップＳ１０４）。
（４）受光データ処理部１８に入力された周囲光１６の電圧信号に基づき発光部１４で発生する光の輝度を決定する（ステップＳ１０５）。
（５）発光駆動部１９からの駆動信号により発光部１４を駆動して発光させる（ステップＳ１０６）。
（６）その後、指１５による操作有無を、電圧信号のレベル変化により受光データ処理部１８で判断する（ステップＳ１０７）。
（７）ステップＳ１０７において操作有と判断した場合は、受光検知部１７により受光した光の濃淡を検知して（ステップＳ１０８）、電圧信号に変換する（ステップＳ１０９）。
（８）受光データ処理部１８へ入力された複数の受光素子より受光した光の濃淡の電圧レベルにより変位データを形成する（ステップＳ１１０）。
（９）形成した変位データを、ＣＰＵ１１により装置の表示部に向け出力する（ステップＳ１１１）。
（１０）表示部への出力後は、時間ｘの間待機するステップＳ１０３へ戻る。
（１１）上記ステップＳ１０７において操作なしと判断した場合も、ステップＳ１０３へ戻る。ステップＳ１０３に戻ることで周囲光１６が変化しても対応可能となる。
上記により、操作の有無によらず、周囲光１６の明るさに対応して発光部で発生する光の輝度を必要レベルに制御することは、光学式マウスの低消費電力化を可能にする。
【００１３】
図３は、図１の受光検知部１７における複数の受光素子のうちの１個の受光素子から出力される電圧信号波形の説明図である。
図３の電圧信号波形において、信号電圧の最低レベルは周囲光による電圧信号レベル、信号電圧の最高レベルは反射光による電圧信号レベルである。従って、信号電圧の最低レベル位置は周囲光の明るさの増減に伴って比例的に変化する。また、信号電圧の最高レベル位置は指１５からの反射光の明るさの増減に伴って増減する。
【００１４】
図４は、図１の光学式マウスにおいて、周囲光の明るさと、発光部で発生する光の必要な明るさ（輝度）との関係を示す図である。
図４において、４０１は、発光部で発生する光の必要な明るさ（輝度）を示す特性線である。該特性線４０１により、例えば周囲光の明るさがａのときには、発光部で発生する光の必要な明るさ（輝度）はｂとなる。ここでいう必要な明るさ（輝度）とは、図１の光学式マウスにおける受光データ処理部１８において、指１５の移動に対応した変位データを形成できる明るさ（輝度）をいう。周囲光がないときは、発光部で発生する光の必要な明るさ（輝度）はｃとなり、これが該必要な明るさの最低値となる。上記においては、発光部で発生する光の必要な明るさは、周囲光の明るさに対して直線的に変化する特性線４０１で表しているが、この他、例えば、発光部の光の必要な明るさは、周囲光の明るさに対し階段状に変化する特性線で表されるものであってもよい。この場合は、周囲光の明るさに対応して発光部で発生させる光の明るさは階段状に切替えられる。
【００１５】
図５は、図１の受光検知部１７において、周囲光の明るさレベルの変化に対応する電圧信号波形であって、受光検知部１７における複数の受光素子のうちの１個の受光素子から出力される電圧信号波形の説明図である。
図５において、５０１は周囲光が最も明るい場合の電圧信号波形、５０２は周囲光が最も暗い場合の電圧信号波形を示している。周囲光が最も明るい場合の電圧信号波形５０１では、周囲光の信号電圧レベルはｃ点にあるため、上記特性線４０１（図４）で表される特性に従い、発光部１の発生する光の明るさを増大させ、反射光の明るさを増大させ、信号電圧レベルもｄ点となるようにする。また、周囲光が最も暗い場合の電圧信号波形５０２では、周囲光の信号電圧レベルはｅ点にあるため、上記特性線４０１（図４）で表される特性に従い、発光部１の発生する光の明るさを低減させ、付随的に反射光の明るさを低減させ、信号電圧レベルもｆ点となるようにする。この信号電圧レベルｃと信号電圧レベルｄとの間の電圧、または信号電圧レベルｅと信号電圧レベルｆとの間の電圧を読取ることで、受光データ処理部１８において変位データが形成され、装置の表示部に表示する指示マーク（ポインタ）を移動させることができる。
【００１６】
上記第１の実施例によれば、光学式マウスにおいて、周囲光に対応して光源（発光部）の発光輝度を制御し、該制御した輝度により指示マークを装置の表示部に表示できるようになる。これにより、光学式マウス及びこれを用いる装置の消費電力の低減化を図ることができる。また、反射光を受光する受光検知部１７を周囲光１６の受光用としても共用できるため、部品点数の増加を抑え、コストの増大化を抑えられる。省スペース化も実現可能である。マウス内での信号処理も比較的簡単に行え、確実な信号処理を行える。このため、検出の信頼性を高められる。
【００１７】
図６及び図７は、本発明の光学式マウスの第２の実施例の説明図である。図６は、光学式マウスの受光検知部における電圧信号波形の説明図であって、周囲光の明るさレベルに対応して発光部が制御される結果、受光検知部から出力される電圧信号波形を示す図、図７は光学式マウスの動作手順を示す図である。本第２の実施例の光学式マウスも基本構成は上記図１の構成と同様である。以下、図６及び図７の説明においても、構成要素の符号は図１の符号を用いる。本第２の実施例では、図１の構成における受光データ処理部１８では、受光検知部１７から入力される電圧信号に基づき反射光の電圧レベルと周囲光の電圧レベルとの差を検出し、該レベル差が所定値または所定範囲となるように発光駆動部１９を制御するための制御信号を形成する。
【００１８】
図６において、周囲光が暗いときは、反射光の電圧レベルと周囲光の電圧レベルとの間には比較的大きなレベル差６０４が発生するが、周囲光１６が明るくなった場合には、最低電圧レベルが上昇するため、反射光の明るさを増大させないとレベル差が、図中のレベル差６０５のように小さくなり、所定値以下となった場合には、操作する指１５の移動に対応した変位データを形成できなくなる。これを改善するために、本第２の実施例では、周囲光１６による電圧レベル、反射光による電圧レベルのいずれか一方または両方が変化した場合も、検出した反射光による電圧レベルと周囲光１６による電圧レベルとの間のレベル差が所定値（レベル差６０６）または所定範囲となるように、受光データ処理部１８の制御信号により発光駆動部１９を制御することで発光部１４から出射される光に基づく反射光の明るさを制御する。すなわち、周囲光１６が明るくなって該周囲光による電圧レベルが上がったときには、反射光を明るくしてそれによる電圧レベルを上げ、周囲光１６による電圧レベルとの間のレベル差を、予め設定された所定値（レベル差６０６）または所定範囲となるようにしてレベル差の不足分を補い、逆に、周囲光１６が暗くなって該周囲光１６による電圧レベルが下がったときには、反射光を暗くしてその電圧レベルを下げ、周囲光１６による電圧レベルとの間のレベル差が上記予め設定された所定値（レベル差６０６）または所定範囲となるようにしてレベル差の過剰分をなくすようにする。なお、上記反射光の増減のための発光駆動部１９と発光部１４の制御は、発生される光の明るさ（輝度）を連続的に変化させて制御してもよいし、他に、該光の明るさ（輝度）を、例えば不連続な階段状に変化させて制御するようにしてもよい。さらに、受光検知部１７で受光した光を電流レベルに変換し、該電流レベルに基づき、上記電圧レベルに基づく場合と同様にして、反射光による電圧レベルを変化させる制御を行うようにしてもよい。
【００１９】
図７は、本第２の実施例としての光学式マウスの動作手順を示す図である。
図７において、
（１）光学式マウス１０に電源供給されると（ステップＳ２０１）、光学センサ１２をオン（ステップＳ２０２）する。
（２）次に、所定時間ｘの間待機する（ステップＳ２０３）。
（３）受光検知部１７からの周囲光の電圧レベルを検知する（ステップＳ２０４）。
（４）受光データ処理部１８へ入力された上記電圧レベルに基づき、発光部１４の発生する光の明るさ（輝度）を決定する（ステップＳ２０５）。
（５）決定した光の明るさ（輝度）で発光部１４を発光させる（ステップＳ２０６）。
（６）指１５による操作の有無を、受光検知部１７からの電圧信号のレベル変化により判断する（ステップＳ２０７）。
（７）ステップＳ２０７において操作有と判断した場合は、受光検知部１７により受光した光の濃淡を検知し（ステップＳ２０８）、電圧信号に変換し（ステップＳ２０９）、受光データ処理部１８に入力する。
（８）受光データ処理部１８では、入力された電気信号に基づき、周囲光１６による電圧レベルと反射光による電圧レベルとの差を検知し（ステップＳ２１０）、周囲光１６による電圧レベルと反射光による電圧レベルとの差が、予め設定された所定値または所定範囲となるように、発光部１４で発生される光の明るさ（輝度）を決定する（ステップＳ２１１）。
（９）上記決定に基づき、発光部１４を発光させる（ステップＳ２１２）とともに、受光データ処理部１８では、変位データを処理する（ステップＳ２１３）。
（１０）ＣＰＵ１１により、変位データを装置の表示部へ出力する（ステップＳ２１４）。
（１１）上記変位データの出力後は、時間ｘの間待機する（ステップＳ２０３）。
（１２）上記ステップＳ２０７において操作なしと判断した場合は、時間ｘの間待機する（ステップＳ２０３）。
【００２０】
上記第２の実施例によれば、周囲光１６の明るさや指１５の反射率の違いなどによる反射光のばらつき等の影響を抑えられ、操作時における操作精度を向上させ得るとともに、周囲光と反射光の間の必要最小限の電圧レベル差を安定的に確保でき、誤検出を防止することができる。また、例えば操作なしの状態においては、発光部１４を必要最低限の輝度で発光させることで低消費電力化を図ることができる。また、反射光を受光する受光検知部１７を周囲光１６の受光用として共用できるため、部品点数の増加を抑え、コストの増大化を抑えることができ、省スペース化も実現可能である。マウス内での信号処理を簡単に行え、確実な信号処理が可能となり、反射光検出の信頼性が高められる。
【００２１】
図８は、本発明の光学式マウスを組み込んだ端末装置の構成例を示す図である。
図８において、８０１は、端末装置の一例としてのノート型パソコン、８０２は、本発明の光学式マウス、８０３は、指示マークを含む画像表示を行う表示部、８０４は、表示部８０３に画像を表示するための制御を行う画像制御部、８０５は、ＣＰＵやＲＯＭやＲＡＭなどを備え、入出力処理を行う内部回路である。画像制御部８０４は、光学式マウス８０２からの変位データや輝度データと、内部回路８０５からの画像データが入力され、画像データ処理、変位データ処理及び表示部の輝度調整を行う。
かかる構成において、光学式マウス８０２から出力された変位データと輝度データは画像制御部８０４に入力される。変位データは該画像制御部８０４で処理された後、表示部８０３に、指等の操作体の移動に対応した指示マークを表示させる。
【００２２】
なお、上記図８の構成のノート型パソコンでは、光学マウス８０２を該ノート型パソコンの装置本体内に内蔵した構成としているが、本発明はこれに限定されず、例えば装置本体とは別個に設けた光学式マウスを、ＵＳＢやＰＳ／２などのインターフェースにより、ノート型パソコンの装置本体に接続するようにしてもよい。また、ＰＤＡなどの携帯型端末装置や、キーボードを用いる端末装置などの場合には、光学式マウスを、該携帯型端末装置内や該キーボード内に内蔵させるようにしてもよい。
【００２３】
上記のように、本発明の光学式マウスを用いた端末装置によれば、周囲光が暗いときには発光部を制御して発生する光の明るさ（輝度）を減らすことができるため、装置全体としての省電力化が可能となり、バッテリーや電池により駆動できる時間を長くすることができる。
【００２４】
【発明の効果】
本発明によれば、光学式マウス及びこれを用いる端末装置の消費電力の低減化を図ることができる。マウス内での反射光検出の信頼性も高められる。
【図面の簡単な説明】
【図１】本発明の第１の実施例としての光学式マウスの構成例図である。
【図２】図１の光学式マウスの動作手順を示す図である。
【図３】図１の受光検知部における電圧信号波形の説明図である。
【図４】図１の光学式マウスにおける周囲光の明るさと発光部の光の必要な明るさとの関係を示す図である。
【図５】図１の受光検知部の電圧信号波形であって、周囲光の明るさレベルに対応する電圧信号波形を示す図である。
【図６】本発明の第２の実施例としての光学式マウスの受光検知部における電圧信号波形の説明図である。
【図７】本発明の第２の実施例の光学式マウスの動作手順を示す図である。
【図８】本発明の光学式マウスを組込んだ端末装置の構成例を示す図である。
【符号の説明】
１０…光学式マウス、  １１…ＣＰＵ、  １２…光学センサ、  １３…受光レンズ、  １４…発光部、  １５…指、  １６…周囲光、  １７…受光検知部、  １８…受光データ処理部、  １９…発光駆動部。
【図１】
2004302533.tif 000003
【図２】
2004302533.tif 000004
【図３】
2004302533.tif 000005
【図４】
2004302533.tif 000006
【図５】
2004302533.tif 000007
【図６】
2004302533.tif 000008
【図７】
2004302533.tif 000009
【図８】
2004302533.tif 000010